(57)【特許請求の範囲】
【請求項１】
パチンコ玉(28)の通過を許容するパチンコ玉通路(14)と、このパチンコ玉通路(14)に常には前進状態で臨み、該パチンコ玉(28)の通過により押圧されて後退移動する押圧部材(18)と、前記パチンコ玉通路(14)の外方に離間的に配設した第１接点(20)および第２接点(24)とを備え、前記第２接点(24)は前記第１接点(20)の後方に位置して常には該第１接点(20)との機械的接触を解除され、前記押圧部材(18)の後退移動により第１接点(20)を第２接点(24)に機械的に接触させて電気的導通を与えるよう構成され、パチンコ機のパチンコ玉流通路(12)に配設されるパチンコ玉通過検出スイッチにおいて、
前記第１接点(20)はＬ状に形成され、該第１接点(20)における前記押圧部材(18)の移動方向と交差する方向に延在する腕部(20a)の開放端を本体(16)に支持した状態で、該腕部(20a)を押圧部材(18)の後方に前後方向に湾曲可能に臨ませ、該腕部(20a)の前面に押圧部材(18)の後端部を弾力的に接触させて、該押圧部材(18)の前方端部(18a)を、常にはパチンコ玉通路(14)に突出する前進状態に臨ませるよう構成されると共に、前記腕部(20a)における押圧部材(18)の接触位置に対応する位置には後方に向けて屈曲する接触部(20b)が形成され、
前記第２接点(24)は、前記第１接点(20)の腕部(20a)と所要間隔をもって平行に対向する腕部(24a)を備え、
前記第１接点(20)の腕部(20a)と第２接点(24)の腕部(24a)との間に、両端が本体(16)に支持された状態で前後方向に湾曲可能な中間接点(22)が両腕部(20a,24a)に対して機械的接触を解除された状態で平行に臨むと共に、該中間接点(22)には第１接点(20)における接触部(20b)の形成位置に対応する位置に後方に向けて屈曲されて常には第２接点(24)の腕部(24a)から離間する接触部(22a)が形成され、
前記押圧部材(18)の後退移動に際して、該押圧部材(18)により押圧された前記第１接点(20)における腕部(20a)の湾曲により該第１接点(20)の接触部(20b)が中間接点(22)に接触して該中間接点(22)を押圧して湾曲し、更に中間接点(22)の湾曲により該中間接点(22)の接触部(22a)が第２接点(24)の腕部(24a)に接触することで、第１接点(20)と第２接点(24)とが電気的に導通されるよう構成した
ことを特徴とするパチンコ玉通過検出スイッチ。
【発明の詳細な説明】
【０００１】
【発明の属する技術分野】
この発明は、パチンコ玉通過検出スイッチに関し、更に詳細には、機械的振動等によって誤検出することのないパチンコ玉通過検出スイッチに関するものである。
【０００２】
【従来の技術】
周知のようにパチンコ機においては、その遊技盤に入賞具や入賞装置等が配設され、遊技盤に打出されたパチンコ玉が入賞具や入賞装置に入る、いわゆるセーフ玉となった場合は、各種の賞球操作が行なわれる。また、入賞具や入賞装置等に入らなかったその他のパチンコ玉は、外れ玉としてパチンコ遊技盤裏面に流出させている。このようにパチンコ機では、遊技盤に打出されたパチンコ玉がセーフ玉か外れ玉かを判別したり、その個数等を検出する必要がある。そこで、パチンコ機の背面側に設けられるパチンコ玉流通路の各所に、パチンコ玉通過検出スイッチを取付け、該スイッチによりパチンコ玉を検出するようにしている。
【０００３】
従来のパチンコ玉通過検出スイッチは、スイッチ本体にパチンコ玉の通過を許容するパチンコ玉通路が形成され、該通路がパチンコ玉流通路の一部となるよう配設される。またスイッチ本体には、パチンコ玉通路に常には前進状態で臨み、パチンコ玉の通過により押圧されて後退移動する押圧部材が配設されると共に、パチンコ玉通路の外方に離間的に配設した第１接点および第２接点を備える。すなわち、この状態でパチンコ玉通路をパチンコ玉が通過すると、該パチンコ玉により押圧部材が押圧され、該押圧部材により第１接点を押圧して第２接点に機械的に接触させることで、パチンコ玉の通過を検出するよう構成されている。
【０００４】
【発明が解決しようとする課題】
前述したパチンコ玉通過検出スイッチでは、常には第１接点との機械的接触を解除された状態に保持されている第２接点に対し、前記押圧部材の後退移動により第１接点が押圧されることで機械的に接触させるようになっている。この場合に、パチンコ玉流通路を連続して流れて来る複数のパチンコ玉を、１個１個検出し得るように、押圧部材のストローク、すなわち第１接点と第２接点との離間間隔は短かく設定されている。このため、パチンコ玉がパチンコ玉流通路の内面に衝突したり、あるいはスイッチ本体に衝突した際に生ずる機械的な振動によって、第１接点と第２接点とが接触してしまい、誤検出する問題があった。また検出スイッチが遊技盤に配設されている場合、該遊技盤に植設された釘の調整に際して該針をハンマー等で叩くと、その衝撃で第１接点が第２接点に接触してしまい、誤検出することもある。
【０００５】
【発明の目的】
本発明は、前述した従来の技術に内在する課題に鑑み、これを好適に解決するべく提案されたものであって、機械的な振動により誤検出を生ずることのないパチンコ玉通過検出スイッチを提供することを目的とする。
【０００６】
【課題を解決するための手段】
前記課題を解決し、初期の目的を達成するため、本発明に係るパチンコ玉通過検出スイッチは、
パチンコ玉の通過を許容するパチンコ玉通路と、このパチンコ玉通路に常には前進状態で臨み、該パチンコ玉の通過により押圧されて後退移動する押圧部材と、前記パチンコ玉通路の外方に離間的に配設した第１接点および第２接点とを備え、前記第２接点は前記第１接点の後方に位置して常には該第１接点との機械的接触を解除され、前記押圧部材の後退移動により第１接点を第２接点に機械的に接触させて電気的導通を与えるよう構成され、パチンコ機のパチンコ玉流通路に配設されるパチンコ玉通過検出スイッチにおいて、
前記第１接点はＬ状に形成され、該第１接点における前記押圧部材の移動方向と交差する方向に延在する腕部の開放端を本体に支持した状態で、該腕部を押圧部材の後方に前後方向に湾曲可能に臨ませ、該腕部の前面に押圧部材の後端部を弾力的に接触させて、該押圧部材の前方端部を、常にはパチンコ玉通路に突出する前進状態に臨ませるよう構成されると共に、前記腕部における押圧部材の接触位置に対応する位置には後方に向けて屈曲する接触部が形成され、
前記第２接点は、前記第１接点の腕部と所要間隔をもって平行に対向する腕部を備え、
前記第１接点の腕部と第２接点の腕部との間に、両端が本体に支持された状態で前後方向に湾曲可能な中間接点が両腕部に対して機械的接触を解除された状態で平行に臨むと共に、該中間接点には第１接点における接触部の形成位置に対応する位置に後方に向けて屈曲されて常には第２接点の腕部から離間する接触部が形成され、
前記押圧部材の後退移動に際して、該押圧部材により押圧された前記第１接点における腕部の湾曲により該第１接点の接触部が中間接点に接触して該中間接点を押圧して湾曲し、更に中間接点の湾曲により該中間接点の接触部が第２接点の腕部に接触することで、第１接点と第２接点とが電気的に導通されるよう構成したことを特徴とする。
【０００７】
【作用】
パチンコ玉通過検出スイッチは、電源投入状態のもとで、その第１接点と第２接点との間に配設された中間接点は、第２接点に対して非接触状態になっている。このもとでパチンコ玉がパチンコ玉通路を通過すると、該パチンコ玉に押された押圧部材の後退移動により前記第１接点が押圧されて第２接点方向に湾曲される。これにより、第１接点が中間接点を押圧して該中間接点が第２接点に機械的に接触し、スイッチがオン状態となってパチンコ玉の通過を検出する。パチンコ玉がスイッチ等に衝突することで発生する振動により、前記第１接点が第２接点に簡単に接触する事態は中間接点により阻止され、誤検出は防止される。
【０００８】
【発明の実施の形態】
次に、本発明に係るパチンコ玉通過検出スイッチにつき、好適な実施例を挙げて、添付図面を参照しながら以下説明する。
【０００９】
図１は、実施例に係るパチンコ玉通過検出スイッチを一部切欠いて示す平面図であって、該パチンコ玉通過検出スイッチ１０(以下、単に検出スイッチともいう)は、パチンコ機の遊技盤の裏面に画成されてパチンコ玉２８が流通するパチンコ玉流通路１２(図２参照)の所要箇所に配設される。このパチンコ玉通過検出スイッチ１０は、パチンコ機に配設した際にパチンコ玉流通路１２の一部となるパチンコ玉通路１４を有する本体１６と、パチンコ玉通路１４に所要長さだけ突出すると共に進退移動自在な押圧部材１８と、パチンコ玉通路１４の外方に離間的に配設した第１接点２０、中間接点２２および第２接点２４とから基本的に構成される。なお、第１接点２０、中間接点２２および第２接点２４は、何れも板ばねを材質として形成されて、接点として機能する。
【００１０】
図１に示すように、検出スイッチ１０の押圧部材１８は、パチンコ玉通路１４側に突出して先端が丸くなっている前方端部１８ａと、パチンコ玉通路１４から離間する方向に延在する後方端部１８ｂと、前方端部１８ａと後方端部１８ｂとの間に設けた鍔状のストッパ部１８ｃとからなる。この押圧部材１８は、本体１６に形成した収納部２６にストッパ部１８ｃが収納され、該収納部２６の前端(パチンコ玉通路１４側)に形成した前規制片２６ａと、後端に形成した後規制片２６ｂとにより前後方向の移動が所要範囲で規制されるよう構成してある。また押圧部材１８の後方には、略Ｌ状に形成された導体(好ましくは金合金の板ばね)を材質とする第１接点２０の腕部２０ａが、該押圧部材１８の移動方向と交差する方向に延在して前後方向に湾曲可能な状態で臨んでいる。そして、この腕部２０ａに、押圧部材１８の後方端部１８ｂが弾力的に当接している。すなわち押圧部材１８は、図３(ａ)に示す如く、前記腕部２０ａによりストッパ部１８ｃが収納部２６の前規制片２６ａに当接するように、常に付勢されている。なお第１接点２０の腕部２０ａには、前記押圧部材１８の後方端部１８ｂが当接する面と反対側に屈曲された接触部２０ｂが形成され、該接触部２０ｂが接点として機能する。
【００１１】
前記本体１６には、図１に示す如く、第１接点２０の腕部２０ａを挟んで押圧部材１８と反対側(後方)に、第１接点２０とは左右対称の略Ｌ状に形成された導体(好ましくは金合金の板ばね)を材質とする第２接点２４が、その接触腕２４ａを第１接点２０の腕部２０ａと所要間隔をもって平行に対向するよう配置されている。また第１接点２０の腕部２０ａと、第２接点２４の接触腕２４ａとの間に、両接点２０,２４を機械的に接触して電気的な導通を可能とする中間接点２２が、前後方向に湾曲可能な状態で配設される。この中間接点２２は、導体(好ましくは金合金の板ばね)を材質として平板状に形成されると共に、第２接点２４側に屈曲する接触部２２ａが形成され、該接触部２２ａが接点として機能する。前記第１接点２０、中間接点２２および第２接点２４は、図３(ａ)に示す如く、常には第１接点２０の接触部２０ｂが中間接点２２に対して離間すると共に、該中間接点２２の接触部２２ａが第２接点２４から離間する機械的接触を解除された状態に保持されており、パチンコ玉通過検出スイッチ１０はオフ状態となるよう設定される。そして、押圧部材１８がパチンコ玉２８により押圧されると、図３(ｂ)に示すように、該押圧部材１８の後退移動により第１接点２０の腕部２０ａが中間接点２２方向に湾曲し、第１接点２０の接触部２０ｂが中間接点２２に接触し、更に該中間接点２２が第２接点２４方向に湾曲することで、中間接点２２の接触部２２ａが第２接点２４の接触腕２４ａに接触するに到る。これにより、当該検出スイッチ１０がオン状態となり、パチンコ玉２８の通過を検出するようになっている。
【００１２】
なお、前記押圧部材１８の前後方向の移動量は、パチンコ玉２８で前方端部１８ａが押されたときと押されていないときとで、第１接点２０、中間接点２２および第２接点２４の接触・離間状態が変化する長さに設定される。
【００１３】
【実施例の作用】
次に、このように構成したパチンコ玉通過検出スイッチの作用につき、説明する。前記検出スイッチ１０は、電源投入状態のもとで、その第１接点２０の腕部２０ａは、図３(ａ)に示す如く、前記中間接点２２に対して非接触状態になっていると共に、該中間接点２２も第２接点２４の接触腕２４ａに対して非接触状態になっている。このもとで、前記パチンコ玉流通路１２を流通するパチンコ玉２８は、該流通路１２の所要箇所に配設したパチンコ玉通過検出スイッチ１０に到来する。
【００１４】
この状態で、パチンコ玉２８が検出スイッチ１０のパチンコ玉通路１４を通過すると、図２および図３(ｂ)に示す如く、前記押圧部材１８が押圧されて後退移動し、前記第１接点２０の接触腕２０ａが中間接点２２方向に湾曲される。これにより、第１接点２０の接触部２０ｂが中間接点２２に接触し、更に中間接点２２を押圧することで該中間接点２２が第２接点２４方向に湾曲される。これにより、中間接点２２の接触部２２ａが第２接点２４の接触腕２４ａに接触し、第１接点２０と第２接点２４とが中間接点２２を介して機械的に接触することで、検出スイッチ１０がオン状態となってパチンコ玉２８の通過を検出する。
【００１５】
次いで、パチンコ玉２８がパチンコ玉通路１４を通過してしまうと、図３(ａ)に示すように、前記押圧部材１８が第１接点２０の弾力作用下に瞬時に押し戻されて、その前方端部１８ａがパチンコ玉２８を検出し得る状態でパチンコ玉通路１４に突出する。これにより、前記中間接点２２の接触部２２ａが第２接点２４の接触腕２４ａから離間すると共に、第１接点２０の接触部２０ｂが中間接点２２から離間し、第１接点２０と第２接点２４との機械的接触が解除されて検出スイッチ１０はオフ状態となり、パチンコ玉２８の通過検出を完了する。
【００１６】
実施例のパチンコ玉通過検出スイッチ１０は、第１接点２０と第２接点２４との間に、機械的接触を解除された状態の中間接点２２を配設したので、パチンコ玉流通路１２を流通するパチンコ玉２８が該流通路１２の内面や検出スイッチ１０の本体１６に衝突した際に生ずる振動によって、第１接点２０と第２接点２４とが簡単に電気的な導通状態となるのを防止することができる。すなわち、パチンコ玉２８の衝突により第１接点２０が振動等を生じても、該第１接点２０が中間接点２２に接触することはあっても、該中間接点２２を湾曲させて第２接点２４に接触するまでには到らない。従って、誤検出の発生を防止し、信頼性の高い検出スイッチ１０を提供し得る。
【００１８】
【発明の効果】
以上説明した如く、本発明に係るパチンコ玉通過検出スイッチによれば、第１接点と第２接点との間に中間接点を配設することで、機械的な振動等により第１接点と第２接点とが不用意に接触するのを防ぐことができ、誤検出を防止して高い信頼性が得られる、という優れた効果を有するものである。
【図面の簡単な説明】
【図１】本発明の好適な実施例に係るパチンコ玉通過検出スイッチを一部切欠いて示す平面図である。
【図２】パチンコ機のパチンコ玉流通路に配設されたパチンコ玉通過検出スイッチによりパチンコ玉の通過を検出する状態を示す説明図である。
【図３】図１に示すパチンコ玉通過検出スイッチの要部を示すものであって、(ａ)は押圧部材がパチンコ玉により押圧されていない状態を示す構成図、(ｂ)は押圧部材がパチンコ玉により押圧された状態を示す構成図である。
【符号の説明】
１２  パチンコ玉流通路
１４  パチンコ玉通路
１６  本体
１８  押圧部材
１８ａ  前方端部
２０  第１接点
２０ａ  腕部
２０ｂ  接触部
２２  中間接点
２２ａ  接触部
２４  第２接点
２４ａ  腕部
２８  パチンコ玉
【図１】
0004320457.tif 000002
【図２】
0004320457.tif 000003
【図３】
0004320457.tif 000004